(57)【要約】      （修正有）【課題】着脱が容易であるのみならず、装着時の調整も容易に可能となるネクタイ装着具を提供する。【解決手段】着脱用第１部分１及び着脱用第２部分２を有するサポート部材２０と、着脱用第３部分３及び着脱用第４部分４を有する第１介在部材２１と、着脱用第５部分５及び着脱用第６部分６を有する第２介在部材２２と、を有し、サポート部材と、第１介在部材及び第２介在部材を着脱自在に構成したネクタイ装着具１０である。更に着脱用第７部分７及び着脱用第８部分８を有する本体部２３を有し、第１介在部材及び第２介在部材と、本体部を着脱自在に構成することができる。【選択図】図１
0003192878.tif 000002
【実用新案登録請求の範囲】
【請求項１】
長手方向の一端側に着脱用第１部分を有し、他端側に着脱用第２部分を有するサポート部材と、
着脱用第３部分及び着脱用第４部分を有する第１介在部材と、
着脱用第５部分及び着脱用第６部分を有する第２介在部材と、
着脱用第７部分及び着脱用第８部分を有する本体部と、を有し、
前記サポート部材と、前記第１介在部材及び第２介在部材は、それぞれ、前記着脱用第１部分と前記着脱用第３部分、前記着脱用第２部分と前記着脱用第５部分において着脱自在であり、
前記第１介在部材及び第２介在部材と、前記本体部は、それぞれ、前記着脱用第４部分と前記着脱用第７部分、前記着脱用第６部分と前記着脱用第８部分において着脱自在であることを特徴とするネクタイ装着具。
【請求項２】
前記着脱用第１部分及び前記着脱用第２部分が強磁性体金属で構成され、前記着脱用第３部分及び前記着脱用第５部分が磁石で構成された請求項１に記載のネクタイ装着具。
【請求項３】
前記着脱用第４部分、前記着脱用第６部分、前記着脱用第７部分及び前記着脱用第８部分が面ファスナーで構成された請求項２に記載のネクタイ装着具。
【請求項４】
前記着脱用第３部分である磁石の前記着脱用第１部分との着脱側と、前記着脱用第５部分である磁石の前記着脱用第２部分との着脱側とを着脱自在に構成し、
前記着脱用第４部分である面ファスナーと、前記着脱用第６部分である面ファスナーとを着脱自在に構成した請求項３に記載のネクタイ装着具。
【請求項５】
前記着脱用第７部分である面ファスナーと前記着脱用第８部分である面ファスナーを着脱自在に構成した請求項３又は４に記載のネクタイ装着具。
【請求項６】
前記サポート部材に、該サポート部材の位置を保持するための留め部を設けた請求項１乃至５のいずれか一項に記載のネクタイ装着具。
【請求項７】
前記サポート部材に首や肩のこりを軽減するための磁石が設けられた請求項１乃至６のいずれか一項に記載のネクタイ装着具。
【請求項８】
前記本体部は通常のネクタイが加工されて作成される請求項１乃至７のいずれか一項に記載のネクタイ装着具。
【考案の詳細な説明】
【技術分野】
【０００１】
本考案は、一般的なネクタイ、蝶ネクタイ（ボウタイ）、スカーフなどに関する。本明細書及び実用新案登録請求の範囲においては、これらを総称して「ネクタイ」という。
【０００２】
ネクタイは通常、一度シャツの襟を立て、シャツの襟の部分を介して首の周りに巻きつけ、結び目を作って着用する。またこれを外すときは、結び目をほどき、首の周りからネクタイを外す。
【０００３】
しかしながら、この着脱は必ずしも容易ではなく、子供や学生などネクタイの着脱に慣れていない者や、そうでなくとも、例えば冠婚葬祭時など、現在締めているネクタイを一時的に特定のネクタイに変える必要があるときなどは、特に不便となることが多い。
【０００４】
また、近時はビジネスの場においても、普段はネクタイを着用せず、他社訪問時や打ち合わせ時など特定の場合のみネクタイを着用するといったように、ネクタイ着用の場が限られることが少なくない。
【０００５】
容易に着脱できるネクタイとして、例えば特許文献１が提案されている。これは、シャツの襟下の襟首２２内に磁石１２ａ又は磁力を通す金属からなる一対の吸着受け１３を設け、上部に磁石１１ａを設けたネクタイ１０ａをこの吸着受け１３に吸着させるものである。
【０００６】
しかしながら、特許文献１の発明のような場合、全てのシャツに特殊な加工を施す必要があるのみならず、後述のようにネクタイの（襟元における）微調整ができないほか、重量が襟首にかかり、襟元に型崩れを生じるおそれがある。
【０００７】
また、磁石や金属が取り付けられたままシャツやネクタイを洗濯しなければならないこととなるが、そうすると、シャツやネクタイを洗濯する際に磁石が洗濯機の洗濯槽や乾燥機の内部に磁力で張り付いたり、ぶつかって音が生じたり、洗濯物の生地を傷めることとなる。
【０００８】
更に最大の問題として、特許文献１を始めとするこの種の従来の技術においては、ネクタイ装着時にネクタイの首回りの長さの調整ができない点が挙げられる。例えば首回り（首の太さ）は人により異なるばかりか、同一人であっても変化し得る。また、ネクタイは常に同じように締めるものではなく、結び目が首に接着するようにきつく締めたり、シャツの第１ボタンを外しながら緩く締めたりといったように、締め方にも複数のバリエーションがある。従来技術ではこのような調節ができないか極めて困難であり、使い勝手が悪く、限定されたものとなっていた。
【先行技術文献】
【特許文献】
【０００９】
【特許文献１】特開２００９−４１１６３号
【考案の概要】
【考案が解決しようとする課題】
【００１０】
本考案は以上に鑑みてなされたものであり、着脱が容易であるのみならず、装着時の調整も容易に可能となるネクタイ装着具を提供することを課題とする。
【課題を解決するための手段】
【００１１】
上記課題を解決するため、本考案は、第１の側面として、長手方向の一端側に着脱用第１部分を有し、他端側に着脱用第２部分を有するサポート部材と、着脱用第３部分及び着脱用第４部分を有する第１介在部材と、着脱用第５部分及び着脱用第６部分を有する第２介在部材と、着脱用第７部分及び着脱用第８部分を有する本体部と、を有し、前記サポート部材と、前記第１介在部材及び第２介在部材は、それぞれ、前記着脱用第１部分と前記着脱用第３部分、前記着脱用第２部分と前記着脱用第５部分において着脱自在であり、前記第１介在部材及び第２介在部材と、前記本体部は、それぞれ、前記着脱用第４部分と前記着脱用第７部分、前記着脱用第６部分と前記着脱用第８部分において着脱自在であることを特徴とするネクタイ装着具を提供する。
【００１２】
第２の側面として、本考案は、前記着脱用第１部分及び前記着脱用第２部分が強磁性体金属であり、前記着脱用第３部分及び前記着脱用第５部分が磁石である前記ネクタイ装着具を提供する。
【００１３】
第３の側面として、本考案は、前記着脱用第４部分、前記着脱用第６部分、前記着脱用第７部分及び前記着脱用第８部分が面ファスナーである前記いずれかのネクタイ装着具を提供する。
【００１４】
第４の側面として、本考案は、前記着脱用第３部分において磁石のＮ極又はＳ極が着脱側に位置し、前記着脱用第５部分である磁石は、前記着脱用第３部分である磁石の着脱側に位置する極とは別の極が着脱側に位置し、前記着脱用第４部分である面ファスナーと前記着脱用第６部分である面ファスナーが着脱自在である前記いずれかのネクタイ装着具を提供する。
【００１５】
第５の側面として、本考案は、前記着脱用第７部分である面ファスナーと前記着脱用第８部分である面ファスナーを着脱自在となるように構成した前記いずれかのネクタイ装着具を提供する。
【００１６】
第６の側面として、本考案は、前記サポート部材に留め部を設けた前記いずれかのネクタイ装着具を提供する。
【００１７】
第７の側面として、本考案は、前記サポート部材に首や肩のこりを軽減するための磁石が設けられた前記いずれかのネクタイ装着具を提供する。
【００１８】
第８の側面として、本考案は、前記本体部を別途用意するものとした前記いずれかのネクタイ装着具を提供する。
【考案の効果】
【００１９】
本考案は、ネクタイの着脱が容易であるのみならず、装着時の首回りの長さの調整も容易に行えるとの効果を有する。
【図面の簡単な説明】
【００２０】
【図１】本考案に係るネクタイ装着具の一実施形態を示す図である。
【図２】（ａ）は本考案に係るサポート部材の一実施形態を示す図であり、（ｂ）は他の一実施形態を示す図である。（ｃ）は、（ａ）のサポート部材に留め部を設けた場合の一例を示す図であり、（ｄ）は、（ｃ）の留め具を左側面から見た拡大図である。
【図３】（ａ）（ｂ）は本考案に係る第１介在部材の一実施形態を示す図であり、（ａ）はこれを一方の側から見た図、（ｂ）は他方の側から見た図である。（ｃ）（ｄ）は本考案に係る第２介在部材の一実施形態を示す図であり、（ｃ）はこれを一方の側から見た図、（ｄ）は他方の側から見た図である。
【図４】本考案に係る第１介在部材と第２介在部材を接着面で接着させた例を示す図である。
【図５】本考案に係る本体部の一実施形態を示す図であり、（ａ）はこれを一方の側（表側）から見た図、（ｂ）は他方の側から見た図である。
【図６】本考案に係る本体部を、着脱用第７部分と着脱用第８部分において接着させた一例を示す図である。
【図７】本考案に係るネクタイ装着具を装着した際の例を示す図である。
【図８】本考案に係るサポート部材の変形例を示す図である。
【図９】本考案に係るネクタイ装着具の他の実施形態を示す図である。
【考案を実施するための形態】
【００２１】
以下、本考案の一実施形態に係るネクタイ装着具を図面に基づいて具体的に説明する。
【００２２】
図１は本考案に係るネクタイ装着具の一実施形態を示す図である。本考案に係るネクタイ装着具１０は、サポート部材２０と、第１介在部材２１と、第２介在部材２２と、本体部２３とからなる。本体部２３は、第１介在部材２１及び第２介在部材２２と着脱自在である。サポート部材２０は、第１介在部材２１及び第２介在部材２２と着脱自在である。従って、本体部２３は、第１介在部材２１及び第２介在部材２２が接着した状態で、第１介在部材２１及び第２介在部材２２によって（第１介在部材２１及び第２介在部材２２を介して）、サポート部材２０と着脱自在とすることができる。
【００２３】
図２（ａ）（ｂ）（ｃ）は本考案に係るサポート部材を示す図であり、サポート部材を外側（装着時の首側とは逆の側）から見た図である。図２（ｄ）は、留め部（後述）の一例を拡大して左側面から示した図である。
【００２４】
サポート部材２０は、第１介在部材及び第２介在部材（図３）を介して本体部を襟元に保持するものであり（図１参照）、シャツの襟に隠れるようにして首回りに配置させる（図７参照）。全体の形状は薄い帯状とするのが好適である。図２（ａ）はサポート部材の一実施形態を示す。
【００２５】
図２（ｂ）に示すように、サポート部材の長手方向両端に向け、中央部より若干広がるように形成すると、シャツの襟の形状により合わせることができ、首回りにフィットし易くなる。この場合、着脱用第１部分１と着脱用第２部分２の面積を広げることもできるので、着脱可能な部分の面積を広げてもよい。
【００２６】
サポート部材の素材は特に限定されないが、例えばプラスチックなどの樹脂を用いてある程度硬さを有するものとすると、ネクタイ装着具を支持するのに有利であるほか、シャツの襟の型崩れを防止できるとの派生的な効果も得られるため、好適である。
【００２７】
サポート部材のサイズ、色等は適宜決することができる。
【００２８】
図２（ａ）に示されるように、サポート部材２０の一方の面（装着時の首側とは逆の側）において、一端側に着脱用第１部分１を設け、他端側に着脱用第２部分２を設ける。着脱用第１部分１は、後述の第１介在部材の着脱用第３部分（図１で符号３で示す部分）と着脱自在となるように構成する。着脱用第２部分２は、後述の第２介在部材の着脱用第５部分（図１で符号５で示す部分）と着脱自在となるように構成する。これらの着脱は、磁石と磁性体／強磁性体金属とで行う。具体的には、着脱用第１部分１と着脱用第２部分２を強磁性金属で形成し、着脱用第３部分３と着脱用第５部分５を磁石で形成する。これにより、それぞれの着脱が磁力によって容易に行えるものとなる。
【００２９】
なお、着脱用第１部分１と着脱用第２部分２を磁石で形成し、着脱用第３部分３と着脱用第５部分５を強磁性金属で形成することもできる。また、着脱用第１部分１と着脱用第２部分２の一方を磁石、他方を強磁性金属とし、着脱用第３部分３と着脱用第５部分５をそれらに対応するように磁石、強磁性金属で形成してもよい。
【００３０】
更に、これらの着脱用部分全て（４つとも）を磁石で形成することもできる。ただし、例えば着脱用第１部分１と着脱用第３部分３を共に磁石とすると、磁力を着脱に適した力に調整する必要がある。
【００３１】
本考案において用いる磁石は、対応する着脱部分が強磁性金属の場合、例えば２０００〜２５００ガウス程度（一例に過ぎず、適宜決し得る）の磁力の磁石（永久磁石など）とすることができる。本考案における磁性体ないし強磁性金属は、このような磁石が磁力で本考案の目的が達し得る程度に接着できる金属を指す。かかる強磁性金属の一例として、サポート部材の着脱用第１部分１と着脱用第２部分２をスチールパネルで形成することができる。なお、磁石や強磁性金属は軽量とするのが好ましい。
【００３２】
着脱用第１部分１と着脱用第２部分２の形状は、図では長方形で表しているが、必ずしもこれに限定されるものではなく、適宜決することができる。
【００３３】
サポート部材の着脱用第１部分１と着脱用第２部分２を上記スチールパネルなど強磁性金属とした場合、第１介在部材２１の着脱用第３部分３と、第２介在部材２２の着脱用第５部分５を、磁石で形成する。なお、着脱用第１部分と着脱用第２部分を磁石とした場合は、着脱用第３部分３と着脱用第５部分５は強磁性金属や磁石で形成することができる。
【００３４】
着脱用第１部分１と着脱用第２部分２をある程度の面積を有するように形成すると、着脱用第３部分３及び着脱用第５部分５と接着ができる部分が広がるため、接着をさせ易くすることができる。また、特にサポート部材の長手方向に向けて着脱用第１部分１と着脱用第２部分２の面積をある程度広くなるように形成すると（例えば図２（ａ）の着脱用第１部分１である長方形の横の長さをより長くするようにして長方形の面積を広げる）、本体部を襟元に配置する際に、着脱用第３部分３と着脱用第５部分５を接着する位置を調整することにより、本体部の位置の調整（首が太い場合や細い場合の調整、ネクタイをきつく又は緩く締めているように見せるための調整など）が柔軟にできることとなるため好適である。
【００３５】
本体部を襟元に配置しないときも、サポート部材はシャツの襟の中にそのまま入れておくことが可能である。従って、サポート部材は襟元からはみ出ない（見えない）程度のサイズとするのが好適である。
【００３６】
強磁性金属又は磁石をシャツに直接設けるのではなく、本考案のように別途サポート部材を設けることにより、シャツに強磁性金属等を設けるための加工及びこれに伴う弊害（シャツを傷めるなど）を回避することができる。また、一つのサポート部材により、複数のシャツへ本考案を適用することが可能となる。上記のとおりサポート部材をある程度硬さを有するものとすれば、シャツの襟の型崩れを防止することもできる。
【００３７】
サポート部材には、一例として図２（ｃ）に示すように、サポート部材の位置を保持するための留め部２４を設けてもよい。留め部２４はシャツの襟を下側から挟み込めるような構成とする。例えば図２（ｄ）においては、留め部の中央の谷間の部分にシャツの襟が挟み込まれる。これにより、（本体部が接着したまま）第１介在部材２１及び第２介在部材２２をサポート部材に着脱させても、襟の中でサポート部材の位置がずれにくくなる。
【００３８】
留め部の形状は上記目的が達せられるものであれば特に限定はなく、サイズ、素材、色彩等も適宜決することができ、例えばシャツと同色にするなど、目立たないようにすることもできる。
【００３９】
図３（ａ）（ｂ）は本考案に係る第１介在部材２１を示す図であり、（ａ）は一方の側から見た図、（ｂ）は他方の側（（ａ）の裏側）から見た図である。図３（ｃ）（ｄ）は本考案に係る第２介在部材２２を示す図であり、（ｃ）は一方の側から見た図、（ｄ）は他方の側（（ｃ）の裏側）から見た図である。
【００４０】
第１介在部材２１及び第２介在部材２２は、サポート部材と着脱自在となるように構成する。具体的には、第１介在部材２１は着脱用第３部分３を有し、これがサポート部材２０の着脱用第１部分１と着脱自在となる。第２介在部材２２は着脱用第５部分５を有し、これがサポート部材２０の着脱用第２部分２と着脱自在となる。例えばサポート部材２０の着脱用第１部分１と着脱用第２部分２をスチールパネルなど強磁性金属とした場合、着脱用第３部分３と着脱用第５部分５を磁石で形成する。この場合、例えば着脱用第３部分３の着脱側（着脱用第１部分１と着脱する側。図３（ａ）において表れる側）をＮ極とし、着脱用第５部分５の着脱側（着脱用第２部分２と着脱する側。図３（ｃ）において表れる側）をＳ極となるように構成すれば、第１介在部材２１と第２介在部材２２を保管等する際、これらの側又は逆側どうしが磁力で接着する。そのため、例えば、図４に示すような状態にすると、磁力の接着によりまとめて保持、保管などがし易いものとなる。
【００４１】
なお、着脱用第１部分１と着脱用第２部分２を磁石とした場合は、着脱用第３部分３と着脱用第５部分５は強磁性金属や磁石で形成することができる。
【００４２】
第１介在部材及び第２介在部材の素材は特に限定されないが、通常目立たないものとするのが好ましい。そのため、例えば本体部と同じ素材や似た素材（布など）で形成することができる。
【００４３】
磁石や強磁性金属（着脱用第３部分及び着脱用第５部分）を設置する部分を袋状に形成し、磁石等をその中に縫い込むようにしてもよい。図３はその一例を示すものであり、着脱用第３部分３、着脱用第５部分５を上部に設置する例を示している。着脱用第３部分及び着脱用第５部分を設置する部分は必ずしもこれに限られるものではなく、例えば、次に述べる着脱用第４部分４の裏側や着脱用第６部分６の裏側に設けてもよい。
【００４４】
第１介在部材２１及び第２介在部材２２の全体形状は必ずしも図３に示されるような形状に限られるわけではなく、長方形や楕円形その他、適宜決することができる。
【００４５】
第１介在部材２１及び第２介在部材２２は、本体部２３とも着脱自在となるように構成する。具体的には、第１介在部材２１は着脱用第４部分４を有し、これが本体部の着脱用第７部分７と着脱自在となる。第２介在部材２１は着脱用第６部分６を有し、これが本体部２３の着脱用第８部分８と着脱自在となる。
【００４６】
これらの着脱部材は、本体部を支え得るだけの十分な接着力を有する必要があり、例えば面ファスナーで形成することができる。着脱用第４部分４の面ファスナーを雌となるように形成した場合、本体部２３の着脱用第７部分７の面ファスナーは雄となるように形成する。この場合、第２介在部材２２の着脱用第６部分６を雄となるように形成すれば、第１介在部材２１と第２介在部材２２を保管等する際、これらの部分が面ファスナーの雄と雌により接着するため、図４に示すような状態にしてまとめて保持、保管などがし易いものとなる。また、この状態で洗濯すれば、洗濯時に他の洗濯物の生地を傷めることを防ぎ得ると共に、面ファスナーに繊維くず等が入り込むことを防ぐことができ、接着力の低下を防止することができる。なお、着脱用第６部分６が雄の場合、着脱用第８部分８の面ファスナーは雌となる。
【００４７】
着脱用第４部分４、着脱用第７部分７、着脱用第６部分６、着脱用第８部分８は接着面をある程度の大きさとする。これにより、着脱できる位置を調整することが可能となるため、首回りの長さに対応した調節や締め具合の調整などが可能となる。
【００４８】
第１介在部材２１及び第２介在部材２２は、本体部の装着状態を維持するのに適した形状サイズとする必要はあるが、その条件をクリアする限り、通常、ネクタイ装着具装着時に目立たない程度の形状、サイズ、色彩等とするのが望ましい。
【００４９】
第１介在部材２１及び第２介在部材２２に磁石が設けられている場合においては、これらの部材を本体部に接着させた状態であれば、例えばスチール製ロッカーの扉の裏にこれらの磁石を張り付けることにより、本ネクタイ装着具（第１介在部材１、第２介在部材２及び本体部２３）を収納・保管することが可能となる。
【００５０】
サポート部材２０、第１介在部材１及び第２介在部材２を設けると、それら個々の利点の他に、以下のような新規かつ顕著な効果を得ることができる。第１に、襟元に配置される本体部の位置の調整が、可能かつ容易となる。すなわち、サポート部材、第１介在部材及び第２介在部材を設けることにより、例えば、首が太い場合、首が細い場合、同一人でも首が太くなったり細くなったりした場合、ネクタイをきつく締めているように見せる場合、ネクタイを緩く締めているように見せる場合などにおいて、本体部と第１介在部材及び第２介在部材との接着位置（面ファスナーなどの接着位置）を微調整できることとなり、更にサポート部材と第１介在部材及び第２介在部材との接着位置（磁石・強磁性金属の接着位置）を微調整できることとなるため、調整が可能（微調整も可能）且つ容易となる。
【００５１】
第２に、第１介在部材１及び第２介在部材２を用いずに本体部２３に磁石を直接設けると、本体部を洗濯する際に磁石が洗濯機の洗濯槽や乾燥機の内部に磁力で張り付いたり、ぶつかって音が生じたり、洗濯物の生地を傷めることとなる。サポート部材２０を設けずにシャツに磁石を直接設ける場合も、同様の問題が生じる。サポート部材、第１介在部材及び第２介在部材を設け、着脱自在とすることにより、これらの不利な点を防止することが可能となる。
【００５２】
図５は、本考案に係る本体部の一例を示す図であり、（ａ）は本体部２３を表側から見た図、（ｂ）は本体部２３を裏側から見た図である。本体部はネクタイにおいて装飾上メインとなる部分であり、図５のようなネクタイの場合、上部３０と３１、結び目、大剣（ブレード）などから構成される。
【００５３】
本体部２３の上部３０、３１（図５において結び目の左右上方に延びている部分）の裏側に、それぞれ第１介在部材の着脱用第４部分４と結合する着脱用第７部分７、第２介在部材の着脱用第６部分６と結合する着脱用第８部分８が設けられる。上記のとおり、これらは例えば面ファスナーとすることができ、例えば着脱用第４部分４の面ファスナーを雌となるように形成した場合、着脱用第７部分７の面ファスナーは雄となるように構成する。着脱用第６部分６と着脱用第８部分８も雄と雌の対で構成する。
【００５４】
なお、着脱用第４部分４と着脱用第７部分７を上記のように構成した場合、着脱用第８部分８の面ファスナーを（雄でなく）雌となるように形成すれば、これと着脱用第７部分７の面ファスナーも着脱自在となる。よって、これらを図６に示すように接着させることにより、例えばロッカーや壁に設けられたフックなどに掛けて収納・保管することが可能となる。
【００５５】
本体部の上部３０、３１は、一般的なネクタイと異なり、首の周りを一周させる必要がない。ただし、本体部の上部３０、３１は、ネクタイ装着具の装着時にサポート部材２０、第１介在部材２１及び第２介在部材２２を襟元から見えなくできるように形状、サイズなどを構成するのが好適である。
【００５６】
本体部は、手持ちのネクタイを加工することで作成することもできる。すなわち、本考案においては好みの通常のネクタイを本考案に係るネクタイ装着具に適用できるように別途加工して本体部とすることもでき、応用範囲が広まる。
【００５７】
本考案に係るネクタイ装着具は以下のようにして使用する（図１、図７等参照）。
本体部２３の着脱用第７部分７と着脱用第８部分８に、第１介在部材２１の着脱用第４部分４と、第２介在部材２２の着脱用第６部分６を、それぞれ面ファスナーなどの接着面において適当な長さに調節して接着させる。以前とは首回り（首の太さ）が変化した場合であっても、調節により対応が可能である。
サポート部材２０を、着脱用第１部分１と着脱用第２部分２が表側に位置するようにシャツの襟の中に配置する。
サポート部材２０の着脱用第１部分１に第１介在部材２１の着脱用第３部分３を、サポート部材２０の着脱用第２部分２に第２介在部材２２の着脱用第５部分５を、それぞれ接着させ、所望の装着状態に調整する。これらの接着が磁力による場合、装着後も所望の装着状態となるように容易に調整することができる。
【００５８】
サポート部材、第１介在部材、第２介在部材がシャツの襟の中に隠れるようにすると、見た目が通常のネクタイと何ら変わらないものとなる。
【００５９】
図７は、本考案に係るネクタイ装着具を装着した場合の一例を、シャツの襟を捲った状態にて示した図である。
【００６０】
サポート部材には、首や肩のこりを軽減したり和らげたり防止したりするための磁石を設けてもよい。この磁石の形状（四角形、円形など）、磁力、個数、配置箇所、Ｓ極・Ｎ極の配置の仕方などは適宜決することができる。一例として、サポート部材の内側の面（ネクタイ装着具使用時に首側に位置する面）に、長方形の磁石２５を６個設けた場合を図８に示す。
【００６１】
首や肩のこりを軽減する等のための磁石、着脱用第１部分、着脱用第２部分の全部または一部はラミネート加工などにより表面の凹凸を軽減したり表面上見えなくなるように加工することもできる。
【００６２】
本考案に係るネクタイ装着具において、本体部は各種の態様とすることができる。本考案の対象には、スカーフその他、襟元・首元の装飾用品等も含まれる。上記実施形態以外の一例として、本体部２６をいわゆる蝶ネクタイとした場合の例を図９に示す。
【産業上の利用可能性】
【００６３】
本考案のネクタイ装着具は、容易に着脱ができるのみならず、装着時の調整が可能かつ容易である。そのため、子供や学生などネクタイの着脱に慣れていない者が利用できるほか、一般の社会人等においても、普段のビジネスの場や、ＴＰＯに応じて短時間に着脱、また最適な位置に調整でき、冠婚葬祭時などのように特定のネクタイを着用する必要がある場合等に広く利用することが可能となる。このように、本考案の産業上の利用可能性は極めて高い。
【符号の説明】
【００６４】
１  着脱用第１部分
２  着脱用第２部分
３  着脱用第３部分
４  着脱用第４部分
５  着脱用第５部分
６  着脱用第６部分
７  着脱用第７部分
８  着脱用第８部分
１０  ネクタイ装着具
２０  サポート部材
２１  第１介在部材
２２  第２介在部材
２３、２６  本体部
２４  留め部
２５  首や肩のこりを軽減するための磁石
３０、３１  本体部の上部
【図１】
0003192878.tif 000003
【図２】
0003192878.tif 000004
【図３】
0003192878.tif 000005
【図４】
0003192878.tif 000006
【図５】
0003192878.tif 000007
【図６】
0003192878.tif 000008
【図７】
0003192878.tif 000009
【図８】
0003192878.tif 000010
【図９】
0003192878.tif 000011